(57)【要約】【課題】マラソン、ジョギング等を行う際に着用するシャツにポケットを設け、その中に入れた物品が走っているときにも飛び出さず、またポケットの中の物品を必要に応じて容易に取り出せるようにしたポケット付きシャツを提供する。【解決手段】シャツ１の前面腹部２に横方向に設けた開口部３からシャツ１の内側に垂下してなるポケット４を設け、前記シャツ１の外側に前記開口部３を覆う蓋片５を設け、該蓋片５を止具６によって着脱自在にしたポケット付きシャツを構成する。【選択図】図１ 
0003111907.tif 000002
【実用新案登録請求の範囲】
【請求項１】
シャツの前面腹部に横方向に設けた開口部からシャツの内側に垂下してなるポケットを設けると共に、前記シャツの外側に前記開口部を覆う蓋片を設け、該蓋片を止具によって着脱自在にしたことを特徴とするポケット付きシャツ。
【請求項２】
前記止具は、ホックであることを特徴とする請求項１記載のポケット付きシャツ。
【請求項３】
前記止具は、面ファスナであることを特徴とする請求項１記載のポケット付きシャツ。
【考案の詳細な説明】
【技術分野】
【０００１】
本考案は、マラソン、ジョギング等を行う際に着用するシャツにポケットを設け、その中に入れた物品が走っているときにも飛び出さないようにしたポケット付きシャツに関する。
【背景技術】
【０００２】
通常、シャツ等の上着には、胸ポケットが設けられている。この胸ポケット以外の他の箇所にポケットを設けた例をあげると、特許文献１に記載されているものがある。
【０００３】
この文献に記載されたポケットは、図６に示すように、シャツやブラウス等の上着１１における身頃１２，１３の内側にポケット４４，１５を取り付け、このポケット４４，１５の上端縁１６を下向きの略円弧状に形成し、この上端縁１６の近傍に面ファスナ１７を設けてなるものである。即ち、このポケットは、シャツ等の内側にポケットを設けたものであり、隠しポケットとしての利便性に優れるものである。
【０００４】
その他、携帯電話専用のポケットをシャツに設けるようにしたもの等、従来の胸ポケット以外のポケットをシャツに設ける例は数多くあるが、本考案のように、マラソン、ジョギング等を行う際に着用するシャツの前面腹部にポケットを設け、その中に入れた物品が、走っているときにも飛び出さないようにしたポケット付きシャツなるものは存在しない。
【特許文献１】特開平１１−３３５９１６
【考案の開示】
【考案が解決しようとする課題】
【０００５】
本考案は、マラソン、ジョギング等を行う際に着用するシャツにポケットを設けたもので、そのようなポケットは、財布、タオル、ハンカチ、キー等の物品を入れて着用する際、走っているときにも、ポケットの中に入れた物品が外に飛び出さず、またポケットに入れたものを必要に応じて容易に取り出すことができる等の要件を満たす必要がある。
【０００６】
なお、マラソン、ジョギング等を行う際に、ウェストバッグ（ウェストポーチとも云う）を腹部に取付けて、その中に財布、タオル、ハンカチ、キー等の物品を収納することが行われているが、このウェストバッグは走行中にバンドで腹部を締め付けることになるため、好ましくない。
【０００７】
本考案は、このような事情に鑑みてなされたもので、マラソン、ジョギング等を行う際に着用するシャツにポケットを設け、その中に入れた物品が走っているときにも飛び出さず、腹部を締め付けることもなく、またポケットの中の物品を容易に取り出せるようにしたポケット付きシャツを提供することを目的とする。
【課題を解決するための手段】
【０００８】
上記の目的を達成するために、本考案の請求項１のポケット付きシャツは、シャツの前面腹部に横方向に設けた開口部からシャツの内側に垂下してなるポケットを設けると共に、前記シャツの外側に前記開口部を覆う蓋片を設け、該蓋片を止具によって着脱自在にしたことを特徴とする。
【０００９】
また、本考案の請求項２は、請求項１において、前記止具は、ホックであることを特徴とする。
【００１０】
さらに、本考案の請求項３は、請求項１において、前記止具は、面ファスナであることを特徴とする。
【考案の効果】
【００１１】
本考案によるポケット付きシャツは、シャツの前面腹部にポケットの開口部を設けた構成とすることによって、マラソンやジョギング等を行っている者が、走行中においても、ポケットの中に物品を無理なく取り入れすることが可能である。
【００１２】
また、上記の開口部からシャツの内側にポケットが垂下することにより、着用者が走行したり、飛び跳ねたりする際、ポケットの中に入れた物品が上下動するに従って、ポケットも自由に変形するため、走っていてポケットに入れた物品が開口部から外に飛び出ることを防止することができる。
【００１３】
さらに、本考案においては、シャツの外側に開口部を覆う蓋片を設け、該蓋片を止具によって着脱自在とすることによって、ポケットに入れた物品が外に飛び出すことを確実に防止することができる。
【００１４】
また、本考案において、蓋片の止具としては、ホック又は面ファスナを用いることができ、ホックは洗濯等によっても劣化し難いという利点があり、面ファスナは非常に着脱が容易となる利点を有する。
【考案を実施するための最良の形態】
【００１５】
以下、本考案の実施例について図面を参照しながら説明する。
【実施例１】
【００１６】
本考案によるポケット付きシャツ１（単に「シャツ１」という場合がある）は、図１又は図２に示すように、シャツ１の前面腹部２に横方向に設けた開口部３からシャツ１の内側に垂下してなるポケット４を設けると共に、シャツ１の外側に開口部３を覆う蓋片５を設け、該蓋片５を止具６によって着脱自在にしたものである。
【００１７】
なお、本考案におけるポケット付きシャツ１のポケット４は、図１に示すTシャツの他に、図５に示すランニングシャツ等にも適用することができ、シャツ１の素材は、通常のスポーツ用シャツに使用する綿類その他の布等の素材を使用するもので、それに使用する材料に特定されるものではない。
【００１８】
また、このポケット付きシャツ１のポケット４は、着用者の腹部に接触することもあるため、シャツ１と同様の素材やその他の適当な素材を使用することによって快適に使用することができる。さらに、ポケット４やその開口部３等は糸等を使用した縫製によって形成したり、縁取りしたりすることで作製することができる。
【００１９】
図１に示すように、本考案のポケット付きシャツ１は、シャツ１の前面腹部２にポケット４の開口部３を設けた構成とすることによって、マラソンやジョギング等を行っている者が、走行中においても、ポケット４の中に入れた物品７を無理なく取り出すことが可能となる。
【００２０】
また、本考案においては、図２に示すように、上記の開口部３からシャツ１の内側にポケット４を垂下した状態としている。即ち、このポケット４をシャツ１の内側に止めず、自由に変形するように垂下した状態とすることによって、着用者が走行したり、飛び跳ねたりする際、ポケット４の中に入れた物品７が上下動するに従って、ポケット４も自由に変形するため、ポケット４に入れた物品７が開口部３から外に飛び出ることを防止することができる。
【００２１】
さらに、上記の構成においては、シャツ１の外側に開口部３を覆う蓋片５を設け、該蓋片５を止具６によって着脱自在とすることによって、ポケット４に入れた物品７が外に飛び出すことを確実に防止することができる。
【００２２】
本実施例において、蓋片５の止具６としては、図３(ａ)又は(ｂ)に示すホック８を使用し、このホック８の雌雄部を蓋片５の裏側とそれに対応する開口部３の近傍に固定した構成とする。このように、止具６としてホック８を使用した場合、下記の面ファスナ９に比べ、洗濯等によっても劣化し難いという利点がある。
【００２３】
さらに、本実施例において、蓋片５の止具６としては、図４(ａ)又は(ｂ)に示す面ファスナ（登録商標「マジックテープ」）９を使用し、蓋片５の裏側とそれに対応する開口部３の近傍に固定した構成としてもよい。このように、止具６として面ファスナ９を使用した場合、上記の面ファスナ８に比べ、非常に着脱が容易となるという利点を有する。
【００２４】
また、本考案のポケット付きシャツ１は、マラソンやジョギング等のスポーツ、さらには他のスポーツ、或いはスポーツに限らず、日常の着用に供するシャツにも適用可能であり、図１に示すTシャツ、さらには図５に示す袖なしのランニングシャツにも適用可能である。
【００２５】
このように、シャツという身軽な服装をしている際に、本考案のポケット付きシャツ１の前面腹部２に設けたポケット４に、財布、タオル、ハンカチ、キー等の物品７を入れて、手軽且つ容易に出し入れすることができる。しかも、ウェストバッグのように自重をほとんど有することがなく、ポケット４内に入れた貴重品等の物品が、３００グラム程度になっても、重さを感じずに軽快に走ることができ、腹部を締め付けることもなく、ポケット４に入れた物品７が開口部３から飛び出さず、紛失したりするという心配もなく使用することが可能となる。
【００２６】
なお、マラソンレースの際には、通常、貴重品を所定の場所に預けておくものであり、レース後、預けた貴重品を受け取るのに、長い列をつくって順番を待たなければならないことがあるが、本考案のポケット付シャツを使用すれば、貴重品をポケットに安心して入れたまま、レースに参加することが可能となる。
【産業上の利用可能性】
【００２７】
本考案のポケット付きシャツは、マラソン、ジョギング等を行う際に着用するシャツの前面腹部にポケットを設け、その中に入れた物品が走っているときや運動しているときにも飛び出さず、また、必要に応じて、物品をポケットに容易に出し入れできるようにしたポケット付きシャツとして利用することができる。
【図面の簡単な説明】
【００２８】
【図１】本考案によるポケット付きシャツの全体図である。
【図２】本考案によるポケット付きシャツのポケットに物品を入れた状況を示す断面図である。
【図３】(ａ)は本考案によるポケット付きシャツの蓋片の止具としてホックを使用した場合の前面図であり、(ｂ)はその断面図である。
【図４】(ａ)は本考案によるポケット付きシャツの蓋片の止具として面ファスナを使用した場合の前面図であり、(ｂ)はその断面図である。
【図５】本考案をランニングシャツに適用した全体図である。
【図６】特許文献１のポケットを設けたシャツの全体図である。
【符号の説明】
【００２９】
１  ポケット付きシャツ（シャツ）
２  前面腹部
３  開口部
４  ポケット
５  蓋片
６  止具
７  物品
８  ホック
９  面ファスナ
【図１】
0003111907.tif 000003
【図２】
0003111907.tif 000004
【図３】
0003111907.tif 000005
【図４】
0003111907.tif 000006
【図５】
0003111907.tif 000007
【図６】
0003111907.tif 000008